(57)【要約】【課題】  電池などの二次電源の消耗を極力抑え、また、身長の高い人・低い人何れの場合でも同じ位置に中継ケーブルなしで表示することで計測値を見易くし、さらに、カーソルの移動スピードに関係なく、カウントミスを見逃さなく迅速に補正しながら、測定を出来るようにする。【解決手段】  電源の消費電力を低減するためカーソル１のタッチスイッチ化により光学読取り部の発光ダイオード４、４'、４''の通電をカーソル操作時のみとした。また、信号を送るケーブルを無くすため、カーソル部・表示部の双方に制御演算回路基板５，８を持つ光通信でこれを解決するものである。また、それに付随して、カーソル側と表示側の制御を別にすることで信号処理遅れによるカウントミス防止にも繋げた。そして、万が一のカウントミスが有った場合、１ｍｍ分解能の身長計において10ｍｍ或いは20ｍｍ毎の縞目スケール３を別途光学読取り素子４''で取り込み処理することにより、これを補正するものである。【選択図】  図1
2006181339.tif 000002
【特許請求の範囲】
【請求項１】
被計測者の身長方向に延伸する長尺部材と、該長尺部材上をスライド自在なカーソルと、少なくとも一部が導電性を有するカーソルのケーシングと、カーソル内に設けられ、ケーシングの導電性を有する部分と電気的に接続され、人体との接触を感知する感触回路と、該感触回路からの信号により起動され、長尺部材上のカーソル位置を読み取るカーソル位置読み取り手段と、該読み取り手段からの出力を演算して、被計測者の身長の計測値を得る身長計測値演算手段とを有する身長計。
【請求項２】
前記身長計測値演算手段からの出力を光信号に変換する送信手段と、該送信部からの光信号を受光する受光装置と、該受光装置からの出力を身長計測値に変換する受信手段を更に含むことを特徴とする請求項１に記載した身長計。
【請求項３】
カーソルケーシングを手で把持すると身長計測値演算手段が作動し、一定時間経過毎、或いは、該カーソルケーシングからの離手で演算結果をカーソル内送信手段から受光装置に送信することを特徴とする請求項１または請求項２に記載した身長計。
【請求項４】
被計測者が乗る導電性を有する台と、被計測者の身長方向に延伸する導電性を有する長尺部材と、該長尺部材上をスライド自在なカーソルと、少なくとも一部が導電性を有するカーソルのケーシングとを有し、台に被計測者が乗台により、被計測者との接触を長尺部材及びカーソルケーシング経由でカーソル内の感触回路に伝え、該感触回路からの信号により起動されるカーソル内カーソル位置読み取り手段及び身長計測値演算手段が作動し、被計測者の乗台後から一定時間経過毎、或いは、被計測者の降台で身長計測値演算結果をカーソル内送信手段から外部受光装置に送信することを特徴とする身長計。
【請求項５】
一定の間隔毎に設けた一定幅の複数の線からなり、明及び暗の縞を有する長さ計測スケールと、該長さ計測スケールの縞の光学的な明暗の変化を電気信号に変換する素子とで構成される長さを光学的に計測する手段を有するとともに、前記長さ計測スケールの線と間隔は、該線の幅の２以上の整数倍間隔毎に設けられた前記長さ計測スケールの線の太さより細い線、或いは、前記長さ計測スケールの線と間隔一つずつの一組より細く、該一つの線又は間隔より太い複数の線からなる縞を有する計数誤りを補正するスケールと、該計数補正スケールの縞の光学的な明暗の変化を電気信号に変換する光電素子とで構成される計数誤りを補正する手段とが併設されていることを特徴とする身長計。
【請求項６】
一定の間隔毎に設けた一定幅の複数の線からなり、明及び暗の縞を有する長さ計測スケールと、該長さ計測スケールの縞の光学的な明暗の変化を電気信号に変換する素子とで構成される長さを光学的に計測する手段を有するとともに、前記長さ計測スケールの線と間隔は、該線の幅の２以上の整数倍間隔毎に設けられた前記長さ計測スケールの前記長さ計測スケールの線と間隔一つずつの一組より細い線からなる縞を有する計数誤りを補正するスケールと、該計数補正スケールの縞の光学的な明暗の変化を電気信号に変換する光電素子とで構成される計数誤りを補正する手段とが併設されていることを特徴とする身長計。
【発明の詳細な説明】
【技術分野】
【０００１】
本発明は、 光学読取り式デジタル身長計に係り、カーソル部を持って摺動し離すことで、その身長を表示器に表示できる身長計に関するものである。
【背景技術】
【０００２】
従来、カーソルのケース内に光学読取り部・身長値表示部の双方を持っているか、カーソルケース内の光学読取り部と別ケースの身長値表示部を電気ケーブルで接続された構造になっている。そして、カーソルを急速に動かすと光学読取り信号の計数装置の処理が追従できず、１から数カウントミスを生じることがある。また、電源スイッチ投入後、光学読取り部の発光ダイオードに常時通電している。
【特許文献１】特許公開平８−１６３６６４「無線テレメータシステム」
【発明の開示】
【発明が解決しようとする課題】
【０００３】
光学読取り部の発光ダイオードは他の回路素子に比べて電流を多く流す必要が有る。電池などの二次電源を使用する場合その消耗が問題となる。本発明は電気ケーブル無しで計測・表示を行うため、カーソル部・表示部双方に制御装置と電池電源を持つ必要が有り、特にその電池の消耗を極力抑え、電池の交換回数を減らしたい。カーソルケース内の光学読取り部と別ケースの身長値表示部を電気ケーブルで接続された構造の二体型の場合、そのケーブルが操作上及びデザイン面からみて無いほうが好ましい。カーソルに表示器が付いている一体型の場合、高身長の人の値が見にくく、信号処理遅れによるカウントミスも時たまみうけられる。カウントミスが生じた場合、基準点通過することで原点補正をしているが、原点補正をしないで計測を継続すると、以後の被計測者の計測値は全て不正確なものとなる。
【０００４】
本発明は、従来の技術の有するこのような問題点に鑑みてなされたものであり、その目的とするところの１つは、電池などの二次電源の消耗を極力抑え、ランニングコストの軽減及び電池交換回数の削減を図る。また、身長の高い人・低い人何れの場合でも同じ位置に中継ケーブルなしで表示することで計測値を見易くすることにある。さらに、カーソルの移動スピードに関係なく、カウントミスを見逃さなく迅速に補正する測定を出来るようにするものである。
【課題を解決するための手段】
【０００５】
上記目的を達成するために、本発明における身長計は、電源の消費電力を低減するためカーソルのタッチスイッチ化により光学読取り部の発光ダイオード通電をカーソル操作時のみとした。また、信号を送るケーブルを無くすため、カーソル部・表示部の双方に制御装置を持つ光通信でこれを解決するものである。また、それに付随して、カーソル側と表示側の制御を別にすることで信号処理遅れによるカウントミス防止にも繋げた。そして、万が一のカウントミスが有った場合、たとえば、１ｍｍ分解能の身長計において10ｍｍ或いは20ｍｍ毎の縞目スケールを別途光学読取り素子で取り込み処理することにより、これを補正するものである。
【０００６】
被計測者の身長方向に延伸する長尺部材と、該長尺部材上をスライド自在なカーソルと、少なくとも一部が導電性を有するカーソルのケーシングと、カーソル内に設けられ、ケーシングの導電性を有する部分と電気的に接続され、人体との接触を感知する感触回路と、該感触回路からの信号により起動され、長尺部材上のカーソル位置を読み取るカーソル位置読み取り手段と、該読み取り手段からの出力を演算して、被計測者の身長の計測値を得る身長計測値演算手段とを有する身長計。被測定者に対しカーソルを移動して計測する動作の過程に於いて、測定開始及び計測値送信指令のスイッチ信号を簡便に出すためカーソル自体をタッチスイッチとする。
【０００７】
電池の消耗を極力減らすため、非測定時には制御装置はスリープ状態に、スケール読取り用素子は通電停止状態にしておく。そして、停止位置におけるスケール読取り用素子の通電時の出力レベルは別途記憶装置に保存すると同時に、この記憶装置出力をスケール読取り装置の入力として加えることで入力変化が無いようにする。
【０００８】
再び測定するためカーソル持った時、タッチスイッチはON状態となり制御装置はスリープ状態を解除し、スケール読取り用素子は通電状態に復帰することで、記憶装置に保存された出力レベルと同一のスケール読取り装置入力としてのスケール読取り用素子出力が復活する。前記同様両出力を入力変化が無いようにスケール読取り装置の入力として加える。その後、記憶装置の保存を解除する。
【０００９】
カーソルを持ち続けたまま移動することで、制御装置が再びカーソルの現在位置を計数開始するので、被測定者の身長に合わせカーソルを離す。カーソルを離すことでタッチスイッチはOFFとなり、非測定状態になる。そして、制御装置は計数した現在位置情報を光通信用の発光ダイオードで送信を開始する。表示器の受光素子が前記発光ダイオードの光信号を受光することで、信号を変換・演算処理して身長値として表示する。前記身長計測値演算手段からの出力を光信号に変換する送信手段と、該送信部からの光信号を受光する受光装置と、該受光装置からの出力を身長計測値に変換する受信手段を更に含むことを特徴とする請求項１に記載した身長計。
【００１０】
カーソルケーシングを手で把持すると身長計測値演算手段が作動し、一定時間経過毎、或いは、該カーソルケーシングからの離手で演算結果をカーソル内送信手段から受光装置に送信することを特徴とする請求項１または請求項２に記載した身長計。
【００１１】
被計測者が乗る導電性を有する台と、被計測者の身長方向に延伸する導電性を有する長尺部材と、該長尺部材上をスライド自在なカーソルと、少なくとも一部が導電性を有するカーソルのケーシングとを有し、台に被計測者が乗台により、被計測者との接触を長尺部材及びカーソルケーシング経由でカーソル内の感触回路に伝え、該感触回路からの信号により起動されるカーソル内カーソル位置読み取り手段及び身長計測値演算手段が作動し、被計測者の乗台後から一定時間経過毎、或いは、被計測者の降台で身長計測値演算結果をカーソル内送信手段から外部受光装置に送信することを特徴とする身長計。
【００１２】
このように表示器が、接続ケーブル無しにカーソルとは分離して設けられた身長計により、被計測者の身長の長短に関係なく、ケーブルに邪魔されることなく、同一位置で、その身長値を読み取る。
【００１３】
一定の間隔毎に設けた一定幅の複数の線からなり、明及び暗の縞を有する長さ計測スケールと、該長さ計測スケールの縞の光学的な明暗の変化を電気信号に変換する素子とで構成される長さを光学的に計測する手段を有するとともに、前記長さ計測スケールの線と間隔は、該線の幅の２以上の整数倍間隔毎に設けられた前記長さ計測スケールの線の太さより細い線、或いは、前記長さ計測スケールの線と間隔一つずつの一組より細く、該一つの線又は間隔より太い複数の線からなる縞を有する計数誤りを補正するスケールと、該計数補正スケールの縞の光学的な明暗の変化を電気信号に変換する光電素子とで構成される計数誤りを補正する手段とが併設されていることを特徴とする身長計。あるいは、一定の間隔毎に設けた一定幅の複数の線からなり、明及び暗の縞を有する長さ計測スケールと、該長さ計測スケールの縞の光学的な明暗の変化を電気信号に変換する素子とで構成される長さを光学的に計測する手段を有するとともに、前記長さ計測スケールの線と間隔は、該線の幅の２以上の整数倍間隔毎に設けられた前記長さ計測スケールの前記長さ計測スケールの線と間隔一つずつの一組より細い線からなる縞を有する計数誤りを補正するスケールと、該計数補正スケールの縞の光学的な明暗の変化を電気信号に変換する光電素子とで構成される計数誤りを補正する手段とが併設されていることを特徴とする身長計。カーソル側と表示側の制御を別にすることで信号処理遅れによるカウントミス防止にも繋げたが、カーソルの移動スピードを極めて速めて、万が一のカウントミスが生じた場合、補正スケールの信号読み取りにより、カーソルの移動スピードに関係なく、カウントミスを見逃さなく迅速に補正する測定を出来るようにする。
【発明の効果】
【００１４】
上述の通りの手段により、次に記載する効果を奏する。
【００１５】
電池の消耗を極力抑えながら、高身長の人でも中継ケーブルなしで見易い位置に表示することができ、且つ、カーソルの移動スピードに関係なく、より正確な測定が可能になった。また、IT時代の昨今、通信装置を備えているので、統合健康管理システムおける身長計としての役割も果たせる製品が提供可能となる。
【発明を実施するための最良の形態】
【００１６】
発明の実施の形態について図面を参照して説明する。
図１において、カーソル（１）にはシャフト（２）に貼られたスケール（３）左側の２ｍｍ間隔白黒の縞目を、電圧レベルに変換する光電素子として、また、カーソル位置読み取り手段としてのフォトリフレクタ（スケール読取り用素子）（４）・（４'）が取り付けられている。フォトリフレクタ（４）・（４'）の光学的読取位相差が90°になるように取付けてあるので、1ｍｍ毎の読取りが可能でカーソル（１）の上下移動方向も判別できる。なお、シャフト（２）はスケールがもうけられた長尺部材であって、同一の機能を有するものであれば剛性を有しない、布、ビニール等の軟性の素材からなるものでもよい。
【００１７】
カーソル（１）内に制御演算回路基板（５）及び電源用電池（２０）が内蔵されている。そして、制御演算回路基板（５）にはフォトリフレクタ（４）・（４'）・（４''）、演算素子CPU（５'）、タッチスイッチ回路（１２）、定電流ドライバ（１３）、記憶装置（１４）、光通信ドライバ（１５）及び発光ダイオード（６）等の構成部材が搭載されていて、制御演算回路基板（５）に取り付けられた光通信用の送信手段としての発光ダイオード（６）は身長計測値の表示器（７）に制御演算回路基板（５）で演算した計測値を光信号として送信する。
【００１８】
図７に本身長計システムのブロック図を示す。いままでの説明のとおり、カーソル（１）を持って移動している最中は、フォトリフレクタ（４）・（４'）・（４''）に通電し、現在地点をカウントかつ補正している。カーソル（１）を被計測者の頭に当てて離したとき、タッチスイッチの入力プレートとしてのカーソル（１）の入力が無くなるので、感触回路であるタッチスイッチ回路（１２）はOFF出力となる。身長計測値演算手段としての演算素子CPU（５'）はこのOFF出力を受け取り、フォトリフレクタ（４）・（４'）・（４''）を駆動する定電流ドライバ（１３）をOFFすると同時に、OFF前の（４）〜（４''）を記憶装置（１４）に保存する。次に、演算素子CPU（５'）は、記憶された結果を光通信ドライバ（１５）により、送信手段である光通信用の発光ダイオード（６）を駆動して、表示器側に光信号として送信する。
【００１９】
図１の台（２１）とシャフト（２）も導電材料とすることで、被計測者が台に乗ることにより、台（２１）とシャフト（２）を介しカーソルケーシングがタッチされたのと同じ状態になるので、前述同様フォトリフレクタ（４）・（４'）・（４''）に通電し、カーソル移動後、被計測者が台（２１）から降りれば、図７のフォトリフレクタ（４）・（４'）・（４''）を駆動する定電流ドライバ（１３）をOFFすると同時に、OFF前の（４）〜（４''）を記憶装置（１４）に保存する。次に、演算素子CPU（５'）は、記憶された結果を光通信ドライバ（１５）により、送信手段である光通信用の発光ダイオード（６）を駆動して、表示器側に光信号として送信する。
【００２０】
台（２１）と表示部が一体である身長計の場合、台（２１）のみを導電材料にし、表示部内に設けられたタッチスイッチの入力プレートとし、タッチスイッチのオン・オフ信号を表示部から発光ダイオードで送信し、これをカーソル部側の受光素子で受け、前述同様フォトリフレクタ（４）・（４'）・（４''）に通電し計測する方法も可能である。
【００２１】
図８は前説の光通信における発光ダイオード（６）の駆動波形を示す。図８上側の信号波形Hレベルは、図８下側のキャリア波形で断続した光信号に変調して受信手段としての受光素子（１６）に送られる。受光素子（１６）はこれを復調して図８上側と同一の信号波形に戻し、演算素子CPU（８'）により計測値に変換される。この計測値を演算素子CPU（８'）を介し表示器（７）に表示する。
【００２２】
以上の説明は、カーソル部・表示部間の通信は発光ダイオードと受光素子の組合せであったが、特許公開平８−１６３６６４の「無線テレメータシステム」にも用いられている計測データを電波により送信する方式でも可能である。そして、表示部の代わりに、例えば体重・血圧等種々の健康データを統合的管理集計する装置に身長データ及び関連データを送信する場合にも有効である。更に、カーソル部の電池（２０）電圧をA/D変換器を介して演算素子CPU（５'）等で計測することで電池の残量を観測し、身長値と同時に表示部又は統合的管理集計する装置に送信することで残量を表示すれば、カーソル側電池（20）の管理も可能となる。
【００２３】
電池残量のことを前述したが、フォトリフレクタ（４）・（４'）及び後述するフォトリフレクタ（４''）と発光ダイオード（６）は電池（２０）の電流を大きく消費する。電池（２０）の寿命を長くするには、この電流値を出来るだけ少なくすることが重要である。それには実際に計測しているときだけフォトリフレクタ（４）・（４'）・（４''）に通電したい。計測中はカーソル（１）を持って上下に動かしているので、カーソル（１）のケーシングをタッチスイッチの入力プレートとして用いることでこれを解決する。すなわち、カーソル（１）を持っているときのみフォトリフレクタ（４）・（４'）・（４''）には通電するようにした。送信手段である光通信用の発光ダイオード（６）駆動はカーソルを離した時点で、必要な時間のみにして電池の消費を抑えている。
【００２４】
制御演算回路基板（５）の演算素子CPU（５'）は演算に必要な時間以外スリープ状態にすることで、演算素子CPU（５'）の電流値を数十分の一に抑える。表示器（７）側は、液晶表示器を使用すれば大きく電池（２０'）電流を消費する素子は使用していないので、制御演算回路基板（８）の演算素子CPU（８'）のみ上述の演算素子CPU（５'）と同様の節電対策はしておく。
【００２５】
スケール（３）は、その詳細なパターン例をそれぞれ図２、図３及び図９に示す。図２及び図３の場合は右側のスケールは１ｃｍ毎に設けられた一定線幅の線からなる縞で構成されて万が一のカウントミスを補正するための補正スケールである。図２及び図３のパターン例では、左側の長さ計測スケールの線（９）は各２ｍｍの太さを有し、それぞれ２ｍｍ間隔に配置されている。図２の補正スケールの線（９'）は２ｍｍより細く、かつ、読取時にその差が識別し易い太さに設定した例である。図３の補正スケールの線（９''）は長さ計測スケールの線（９）の太さと間隔の合計の４ｍｍより細く、該線（９）又は間隔の２ｍｍより太く、かつ、読取時にその差が識別し易い太さに設定した例である。なお、図２の補正スケール中の一本の太い線（２９）は長さ計測スケールの線（９）の太さと間隔の合計の４ｍｍより細く、該線（９）又は間隔の２ｍｍより太く、かつ、読取時にその差が識別し易い太さの原点補正用としてカウントミスを補正用の線（９'）に置き換えて一箇所だけ設けた例である。同様に、図３の補正スケール中の一本の細い線（３９）は２ｍｍより細く、かつ、読取時にその差が識別し易い太さの原点補正用としてカウントミスを補正用の線（９''）に置き換えて一箇所だけ設けた例である。一方、図９の場合、左側の長さ計測スケールは図２及び図３と同様であるが、右側の補正スケールは２ｃｍ毎に設けられた一定幅の線からなる縞で構成されており、線（９'''）を長さ計測スケールの線（９）の２ｍｍと同じ太さに設定した例である。なお、図９の補正スケール中の一本の線（４９）は２つの線（9'''）の中央にやはり長さ計測スケールの線（９）の２ｍｍと同じ太さ２ｍｍで原点補正用として一箇所だけ設けた例である。
【００２６】
図４に示すように、スケール（３）の明及び暗の縞はフォトリフレクタ（４）・（４'）・（４''）に内蔵されている発光ダイオード（１０）の反射光をフォトトランジスタ（１１）で受光することで電気信号に変換される。
【００２７】
図２のスケールをフォトリフレクタ（４）・（４'）・（４''）で読込んだときの出力波形が図５であり、図３のスケールをフォトリフレクタ（４）・（４'）・（４''）で読込んだときの出力波形が図６である、そして、図９のスケールをフォトリフレクタ（４）・（４'）・（４''）で読込んだときの出力波形が図１０である。これらの波形は、カーソルを上方向に移動したときを例示している。
【００２８】
はじめに、図５に於けるカウントミスを補正方式について説明すると、フォトリフレクタ（４'）の出力波形の変換点a '部・a''部において110.0ｃｍ・120.0ｃｍの如くｍｍ単位値が0になるように、フォトリフレクタ（４）・（４'）出力波形を演算素子CPU（５'）がカウントしている。しかし、カウントミスがあった場合、計測値が110.1ｃｍとか110.9ｃｍのように誤った値になる。このようなとき、フォトリフレクタ（４''）の出力波形が高電位（Hレベルb' 間・b'' 間）にあることを演算素子CPU（５'）が検知しているときは、フォトリフレクタ（４）の出力波形の変換点a' 部・a'' 部において演算素子CPU（５'）がｍｍ単位値を四捨五入することで、正しい値に戻し補正する。
【００２９】
次に、図６に於けるカウントミスを補正方式は、前記の場合とフォトリフレクタ（４''）の出力波形が異なる。すなわち、フォトリフレクタ（４''）の出力波形が高電位（Hレベルｃ' 間・ｃ'' 間）にあることを演算素子CPU（５'）が検知しているときは、フォトリフレクタ（４）の出力波形の変換点a' 部・a'' 部において演算素子CPU（５'）がｍｍ単位値を四捨五入する。いずれの縞目（９'）・（９''）の補正スケールを用いてもｃｍ単位毎の補正が可能になった。
【００３０】
図５及び図６いずれの場合も、フォトリフレクタ（４）の出力波形の変換点a' 部ではフォトリフレクタ（４'）はLレベル、フォトリフレクタ（４）の出力波形の変換点a'' 部ではフォトリフレクタ（４'）はHレベルである。このフォトリフレクタ（４'）レベルの違いにより偶数ｃｍ補正または奇数ｃｍ補正を行うかの判断をする。ところで、フォトリフレクタ（４''）の出力波形の高電位（Hレベルb' 間・b'' 間）または（Hレベルｃ' 間・ｃ'' 間）幅をフォトリフレクタ（４'）の出力波形幅と一致させてないのは、原点補正用としてのフォトリフレクタ（４''）の出力波形の高電位（Hレベルb間）または（Hレベルｃ間）幅を誤り補正の高電位（Hレベルb' 間・b'' 間）または（Hレベルｃ' 間・ｃ'' 間）幅とは違いをもたせることで、フォトリフレクタ（４'）・（４'' ）出力波形の電位レベル変化の順番を調べることにより判別して使用できるようにした工夫である。
【００３１】
しかし、図10に於けるカウントミスを補正方式の場合は、フォトリフレクタ（４）の出力波形の変換点a' 部・a'' 部において100.0ｃｍ・120.0ｃｍの如くｍｍ単位値が0になるように、フォトリフレクタ（４）・（４'）出力波形を演算素子CPU（５'）がカウントしている。しかし、カウントミスがあった場合、計測値が100.1ｃｍとか119.9ｃｍのように誤った値になる。前記２例の場合とフォトリフレクタ（４''）の出力波形が異なり、その高電位（Hレベルｄ間・ｄ' 間）がフォトリフレクタ（４'）の出力幅と同一でもよい。フォトリフレクタ（４''）の出力波形が高電位（Hレベルｄ' 間・ｄ'' 間）にあることを演算素子CPU（５'）が検知しているときは、フォトリフレクタ（４）の出力波形の変換点a' 部・a'' 部において演算素子CPU（５'）がｍｍ単位値を四捨五入する。縞（9'''）を用いた場合、２ｃｍ単位毎の補正を可能にしている。あえて２ｃｍ単位毎の補正にした理由は、フォトリフレクタ（４''）の高電位（Hレベルｄ間）になるように原点補正縞を設けて、フォトリフレクタ（４）の出力波形の変換点a 部で原点補正するためである。それは、誤り補正と原点補正時ではフォトリフレクタ（４' ）の出力波形の電位がＬレベルかＨレベルの違いがあるので可能となる。この方式は、補正頻度は減るものの、図５または図６のようにフォトリフレクタ（４'）・（４'' ）出力波形の電位レベル変化の順番を調べる必要がないので、演算素子CPU（５'）の演算負担の軽減につながる。
【００３２】
なお、図２及び図３の縞目（９'）・（９''）・（9'''）は白地に黒の縞目で例示したが、黒地に白の縞目でもフォトリフレクタ（４''）の出力波形を演算素子CPU（５'）が負論理で演算することで、同様の効果が得られる。
【図面の簡単な説明】
【００３３】
【図１】カーソル部・表示部・シャフト・台を示す外観図である。
【図２】スケール詳細図である。
【図３】スケール詳細図である。
【図４】フォトリフレクタの縞目読込み状態を示す図である。
【図５】フォトリフレクタ出力波形である。
【図６】フォトリフレクタ出力波形である。
【図７】身長計システムのブロック図である。
【図８】光送信用発光ダイオード出力波形である。
【図９】スケール詳細図である。
【図１０】フォトリフレクタ出力波形である。
【符号の説明】
【００３４】
１  カーソル
２  シャフト
３  スケール
４  フォトリフレクタ
４'  フォトリフレクタ
４''  フォトリフレクタ
５  カーソル部制御演算回路基板
５'  カーソル部演算素子
６  光送信用発光ダイオード
７  計測値表示器
８  表示部制御演算回路基板
８'  表示部演算素子
９  身長値読取線
９'  補正用線
９''  補正用線
９'''  補正用線
１０  フォトリフレクタ内蔵発光ダイオード
１１  フォトリフレクタ内蔵フォトトランジスタ
１２  タッチスイッチ回路
１３  フォトリフレクタ定電流ドライバ
１４  カーソル部記憶装置
１５  光通信用発光ダイオードドライバ
１６  光通信用受光素子
１７  表示部記憶装置
２０,  2０'  電池
２１  台
２９  原点補正用線
３９  原点補正用線
４９  原点補正用線
【図１】
2006181339.tif 000003
【図２】
2006181339.tif 000004
【図３】
2006181339.tif 000005
【図４】
2006181339.tif 000006
【図５】
2006181339.tif 000007
【図６】
2006181339.tif 000008
【図７】
2006181339.tif 000009
【図８】
2006181339.tif 000010
【図９】
2006181339.tif 000011
【図１０】
2006181339.tif 000012